(57)【要約】【課題】従来技術の欠点および不利な点は、簡易アドレッシング方式によるフルカラー画像装置用カラー・ピクセルの配置によって解決される。【解決手段】ディスプレイ用の行および列ライン構造のアレイが開示されている。アレイは複数の行および列位置と、複数の三色ピクセル要素を含む。三色ピクセル要素は１個の青エミッタ、１対の赤エミッタ、および１対の緑エミッタを含むことができる。三色ピクセル要素のデザインはいくつかのものが考えられる。駆動マトリックスは個々のエミッタを駆動するための複数の行および列ドライバを含む。行ドライバは各行の赤、緑、および青エミッタを駆動する。各列の赤および緑エミッタは単一の列ドライバによって駆動される。しかし、単一の列ドライバは２つの列ライン青エミッタ、すなわち、１つおきに隣接する三色ピクセル要素の第１列ラインおよび第２列ラインを駆動できる。三色ピクセル要素を駆動する方法についても開示されている。【選択図】図１
2011209754.tif 000002
【特許請求の範囲】
【請求項１】
ディスプレイ用アレイであって、
第１および第２ピクセル行であって、各ピクセル行が３つの単位面積多角形を含み、各々の前記単位面積多角形を１つのエミッタが占めている、第１および第２ピクセル行を含み、
赤エミッタが前記第１ピクセル行中の左側単位面積多角形を占め、緑エミッタが前記第１ピクセル行中の右側単位面積多角形を占めており、
緑エミッタが前記第２ピクセル行中の左側単位面積多角形を占め、赤エミッタが前記第２ピクセル行中の右側単位面積多角形を占めており、更に、
青エミッタが前記第１および第２の両ピクセル行中の中央単位面積多角形を占めている三色ピクセル要素を含むことを特徴とするアレイ。
【請求項２】
請求項１に記載のディスプレイ用アレイであって、前記緑エミッタが前記第１ピクセル行中の前記左側単位面積多角形を占め、前記赤エミッタが前記第１ピクセル行中の前記右側単位面積多角形を占めており、前記赤エミッタが前記第２ピクセル行中の前記左側単位面積多角形を占め、前記緑エミッタが前記第２ピクセル行中の前記右側単位面積多角形を占めているアレイ。
【請求項３】
請求項１に記載のディスプレイ用アレイであって、前記単位面積多角形が正方形であるアレイ。
【請求項４】
請求項１に記載のディスプレイ用アレイであって、前記単位面積多角形が長方形であるアレイ。
【請求項５】
請求項１に記載のディスプレイ用アレイであって、前記第１および第２の両ピクセル行中の前記中央単位面積多角形を占める前記青エミッタが互いに配線でつながれているアレイ。
【請求項６】
請求項１に記載のディスプレイ用アレイであって、
前記アレイ中の各前記行位置に付随する複数の行ラインを含み、前記行ラインの第１のものは前記アレイ行位置にある前記三色ピクセル要素の各々の中の前記第１ピクセル行の前記青エミッタ、前記第１ピクセル行の前記赤エミッタ、および前記第１ピクセル行の前記緑エミッタへつながれており、ここで前記行ラインの前記第１のものは隣接する前記三色ピクセル要素の偶数番目ごとの対の前記第１ピクセル行中の前記青エミッタへつながれており、また前記行ラインの第２のものは前記アレイ行位置にある前記三色ピクセル要素の各々の中の前記第２ピクセル行の前記青エミッタ、前記第２ピクセル行の前記赤エミッタ、および前記第２ピクセル行の前記緑エミッタへつながれており、ここで前記行ラインの前記第２のものは隣接する前記三色ピクセル要素の奇数番目ごとの対の前記第２ピクセル行中の前記青エミッタへつながれている、複数の行ラインと、
前記各列位置に付随する複数の列ラインであって、前記列ラインの第１のものは前記三色ピクセル要素の各々の中の前記青エミッタの左側に配置された前記列位置にある前記赤エミッタおよび前記緑エミッタへつながれており、前記列ラインの第２のものは前記三色ピクセル要素の各々の中の正方形の前記中心に配置された前記列位置にある前記青エミッタへつながれており、また前記列ラインの第３のものは前記三色ピクセル要素の各々の中の前記青エミッタの右側に配置された前記列位置にある前記赤エミッタおよび前記緑エミッタへつながれており、ここで前記第２列ラインは二番目に近い隣接する前記三色ピクセル要素の前記第２列ラインへつながれている、複数の列ラインと、
を含んでいる三色ピクセル要素を含むアレイ。
【請求項７】
請求項６に記載のアレイであって、前記三色ピクセル要素の各々が行方向において列方向よりも高い空間周波数を持つアレイ。
【請求項８】
請求項６に記載のアレイであって、前記三色ピクセル要素の各々が列方向において行方向よりも高い空間周波数を持つアレイ。
【請求項９】
請求項６に記載のアレイであって、前記赤エミッタ、前記緑エミッタ、および前記青エミッタの各々へつながれた前記行ラインの各々が選択トランジスタのゲートへつながれているアレイ。
【請求項１０】
請求項６に記載のアレイであって、前記赤エミッタ、前記緑エミッタ、および前記青エミッタの各々へつながれた前記列ラインの各々が選択トランジスタのソース／ドレイン端子へつながれているアレイ。
【請求項１１】
請求項６に記載のアレイであって、前記アレイがドット・インバージョンによって駆動されるアレイ。
【請求項１２】
請求項６に記載のアレイであって、前記緑エミッタが前記第１ピクセル行中の前記左側単位面積多角形を占め、前記赤エミッタが前記第１ピクセル行中の前記右側単位面積多角形を占めており、前記赤エミッタが前記第２ピクセル行中の前記左側単位面積多角形を占め、前記緑エミッタが前記第２ピクセル行中の前記右側単位面積多角形を占めている、アレイ。
【請求項１３】
請求項６に記載のアレイであって、前記単位面積多角形が正方形であるアレイ。
【請求項１４】
請求項６に記載のアレイであって、前記単位面積多角形が長方形であるアレイ。
【請求項１５】
請求項６に記載のアレイであって、前記第１および前記第２の両ピクセル行中の前記中央単位面積多角形を占める前記青エミッタが互いに配線でつながれている、アレイ。
【請求項１６】
請求項１に記載のディスプレイ用アレイであって、
第１、第２、第３、および第４三色ピクセル要素を含む１つのアレイ行であって、
前記三色ピクセル要素の各々へつながれた第１および第２行ラインドライバと、
前記第１行ラインドライバへつながれた第１行ラインであって、前記第１行ラインが前記第３および前記第４三色ピクセル要素の前記第１ピクセル行中の前記青エミッタへつながれ、且つ前記第１、第２、第３、および第４三色ピクセル要素の前記第１ピクセル行中の前記赤エミッタおよび前記緑エミッタへつながれている、第１行ラインと、
前記第２行ラインドライバへつながれた第２行ラインであって、前記第２行ラインが前記第１および前記第２三色ピクセル要素の前記第２ピクセル行中の前記青エミッタへつながれ、且つ前記第１、第２、第３、および第４三色ピクセル要素の前記第２ピクセル行中の前記赤エミッタおよび前記緑エミッタへつながれている、第２行ラインと、
前記三色ピクセル要素の各々へつながれた第１から第１０列ラインドライバと、
前記第１列ラインドライバへつながれた第１列ラインであって、前記第１列ラインが前記第１三色ピクセル要素の、前記第１ピクセル行中の前記赤エミッタおよび前記第２ピクセル行中の前記緑エミッタへつながれている、第１列ラインと、
前記第２列ラインドライバへつながれた第２列ラインであって、前記第２列ラインが前記第１三色ピクセル要素の前記青エミッタへつながれ、且つ前記第３三色ピクセル要素の前記青エミッタへつながれた第８列ラインへつながれている、第２列ラインと、
前記第３列ラインドライバへつながれた第３列ラインであって、前記第３列ラインが前記第１三色ピクセル要素の、前記第２ピクセル行中の前記赤エミッタおよび前記第１ピクセル行中の前記緑エミッタへつながれている、第３列ラインと、
前記第４列ラインドライバへつながれた第４列ラインであって、前記第４列ラインが前記第２三色ピクセル要素の、前記第１ピクセル行中の前記赤エミッタおよび前記第２ピクセル行中の前記緑エミッタへつながれている、第４列ラインと、
前記第５列ラインドライバへつながれた第５列ラインであって、前記第５列ラインが前記第２三色ピクセル要素の前記青エミッタへつながれ、また前記第４三色ピクセル要素の前記青エミッタへつながれた第１１列ラインへつながれている、第５列ラインと、
前記第６列ラインドライバへつながれた第６列ラインであって、前記第６列ラインが前記第２三色ピクセル要素の、前記第２ピクセル行中の前記赤エミッタおよび前記第１ピクセル行中の前記緑エミッタへつながれている、第６列ラインと、
前記第７列ラインドライバへつながれた第７列ラインであって、前記第７列ラインが前記第３三色ピクセル要素の、前記第１ピクセル行中の前記赤エミッタおよび前記第２ピクセル行中の前記緑エミッタへつながれている、第７列ラインと、
前記第８列ラインドライバへつながれた第９列ラインであって、前記第９列ラインが前記第３三色ピクセル要素の、前記第２ピクセル行中の前記赤エミッタおよび前記第１ピクセル行中の前記緑エミッタへつながれている、第９列ラインと、
前記第９列ラインドライバへつながれた第１０列ラインであって、前記第１０列ラインが前記第４三色ピクセル要素の、前記第１ピクセル行中の前記赤エミッタおよび前記第２ピクセル行中の前記緑エミッタへつながれている、第１０列ラインと、
前記第１０列ラインドライバへつながれた第１２列ラインであって、前記第１２列ラインが前記第４三色ピクセル要素の、前記第２ピクセル行中の前記赤エミッタおよび前記第１ピクセル行中の前記緑エミッタへつながれている、第１２列ラインと、
を含むアレイ。
【請求項１７】
請求項１６に記載のアレイであって、前記アレイがドット・インバージョンによって駆動されるアレイ。
【請求項１８】
請求項１６に記載のアレイであって、前記赤エミッタ、前記緑エミッタ、および前記青エミッタの各々へつながれた前記行ラインの各々が選択トランジスタのゲートへつながれているアレイ。
【請求項１９】
請求項１６に記載のアレイであって、前記赤エミッタ、前記緑エミッタ、および前記青エミッタの各々へつながれた前記列ラインの各々が選択トランジスタのソース／ドレイン端子へつながれているアレイ。
【請求項２０】
請求項１６に記載のアレイであって、前記緑エミッタが前記第１行中の前記左側単位面積多角形を占め、前記赤エミッタが前記第１行中の前記右側単位面積多角形を占めており、前記赤エミッタが前記第１行中の前記左側単位面積多角形を占め、前記緑エミッタが前記第１行中の前記右側単位面積多角形を占めている、アレイ。
【請求項２１】
請求項１６に記載のアレイであって、前記単位面積多角形が正方形であるアレイ。
【請求項２２】
請求項１６に記載のアレイであって、前記単位面積多角形が長方形であるアレイ。
【請求項２３】
請求項１６に記載のアレイであって、前記第１および前記第２の両行中の前記中央単位面積多角形を占める前記青エミッタが互いに配線でつながれている、アレイ。
【請求項２４】
請求項１に記載のディスプレイ用アレイであって、
単一の青エミッタが前記第１および前記第２ピクセル行中の両方の中央単位面積多角形を占めている、第１および第２ピクセル行と、
前記アレイ中の前記行位置の各々に付随する複数の行ラインであって、前記行ラインの第１のものは前記アレイ行位置にある前記三色ピクセル要素の各々の中の前記第１ピクセル行の前記青エミッタ、前記赤エミッタ、および前記緑エミッタへつながれており、前記行ラインの前記第１のものは隣接する前記三色ピクセル要素の偶数番目ごとの対の前記青エミッタへつながれており、且つ前記行ラインの第２のものは前記アレイ行位置にある前記三色ピクセル要素の各々の中の前記第２ピクセル行にある前記青エミッタ、前記赤エミッタ、および前記緑エミッタへつながれており、前記行ラインの前記第２のものは隣接する前記三色ピクセル要素の奇数番目ごとの対の前記青エミッタへつながれている、複数の行ラインと、
前記アレイ中の前記列位置の各々に付随する複数の列ラインであって、前記列ラインの第１のものは前記三色ピクセル要素の各々の中の前記青エミッタの左側に配置された前記列位置にある前記赤エミッタおよび前記緑エミッタへつながれており、前記列ラインの第２のものは前記三色ピクセル要素の各々の中の前記列位置にある前記青エミッタへつながれており、前記列ラインの第３のものは前記三色ピクセル要素の各々の中の前記青エミッタの右側に配置された前記列位置にある前記赤エミッタおよび前記緑エミッタへつながれており、前記第２列ラインは二番目に近い隣接する前記三色ピクセル要素の前記第２列ラインへつながれている、複数の列ラインと、
を含んでいる三色ピクセル要素を含むアレイ。
【請求項２５】
請求項２４に記載のアレイであって、前記三色ピクセル要素の各々が行方向において列方向よりも高い空間周波数を持つアレイ。
【請求項２６】
請求項２４に記載のアレイであって、前記三色ピクセル要素の各々が列方向において行方向よりも高い空間周波数を持つアレイ。
【請求項２７】
請求項２６に記載のアレイであって、前記赤エミッタ、前記緑エミッタ、および前記青エミッタの各々へつながれた前記行ラインの各々が選択トランジスタのゲートへつながれているアレイ。
【請求項２８】
請求項２６に記載のアレイであって、前記赤エミッタ、前記緑エミッタ、および前記青エミッタの各々へつながれた前記列ラインの各々が選択トランジスタのソース／ドレイン端子へつながれているアレイ。
【請求項２９】
請求項２６に記載のアレイであって、前記アレイがドット・インバージョンによって駆動されるアレイ。
【請求項３０】
請求項２６に記載のアレイであって、前記緑エミッタが前記第１ピクセル行中の前記左側単位面積多角形を占め、前記赤エミッタが前記第１ピクセル行中の前記右側単位面積多角形を占めており、前記赤エミッタが前記第２ピクセル行中の前記左側単位面積多角形を占め、前記緑エミッタが前記第２ピクセル行中の前記右側単位面積多角形を占めている、アレイ。
【請求項３１】
請求項２６に記載のアレイであって、前記単位面積多角形が正方形であるアレイ。
【請求項３２】
請求項２６に記載のアレイであって、前記単位面積多角形が長方形であるアレイ。
【請求項３３】
請求項１に記載のディスプレイ用アレイであって、
第１、第２、第３、および第４三色ピクセル要素を含む１つのアレイ行と、前記三色ピクセル要素の各々へつながれた第１および第２行ラインドライバと、
前記第１行ラインドライバへつながれた第１行ラインであって、前記第１行ラインが前記第３および前記第４三色ピクセル要素の前記青エミッタへつながれ、また前記第１、第２、第３、および第４三色ピクセル要素の前記第１ピクセル行中の前記赤エミッタおよび前記緑エミッタへつながれている、第１行ラインと、
前記第２行ラインドライバへつながれた第２行ラインであって、前記第２行ラインが前記第１および前記第２三色ピクセル要素の前記青エミッタへつながれ、また前記第１、第２、第３、および第４三色ピクセル要素の前記第２ピクセル行中の前記赤エミッタおよび前記緑エミッタへつながれている、第２行ラインと、
前記三色ピクセル要素の各々へつながれた第１から第１０列ラインドライバと、
前記第１列ラインドライバへつながれた第１列ラインであって、前記第１列ラインが前記第１三色ピクセル要素の、前記第１ピクセル行中の前記赤エミッタおよび前記第２ピクセル行中の前記緑エミッタへつながれている、第１列ラインと、
前記第２列ラインドライバへつながれた第２列ラインであって、前記第２列ラインが前記第１三色ピクセル要素の前記青エミッタへつながれ、また前記第３三色ピクセル要素の前記青エミッタへつながれた第８列ラインへつながれている、第２列ラインと、
前記第３列ラインドライバへつながれた第３列ラインであって、前記第３列ラインが前記第１三色ピクセル要素の、前記第２ピクセル行中の前記赤エミッタおよび前記第１ピクセル行中の前記緑エミッタへつながれている、第３列ラインと、
前記第４列ラインドライバへつながれた第４列ラインであって、前記第４列ラインが前記第２三色ピクセル要素の、前記第１ピクセル行中の前記赤エミッタおよび前記第２ピクセル行中の前記緑エミッタへつながれている、第４列ラインと、
前記第５列ラインドライバへつながれた第５列ラインであって、前記第５列ラインが前記第２三色ピクセル要素の前記青エミッタへつながれ、また前記第４三色ピクセル要素の前記青エミッタへつながれた第１１列ラインへつながれている、第５列ラインと、
前記第６列ラインドライバへつながれた第６列ラインであって、前記第６列ラインが前記第２三色ピクセル要素の、前記第２ピクセル行中の前記赤エミッタおよび前記第１ピクセル行中の前記緑エミッタへつながれている、第６列ラインと、
前記第７列ラインドライバへつながれた第７列ラインであって、前記第７列ラインが前記第３三色ピクセル要素の、前記第１ピクセル行中の前記赤エミッタおよび前記第２ピクセル行中の前記緑エミッタへつながれている、第７列ラインと、
前記第８列ラインドライバへつながれた第９列ラインであって、前記第９列ラインが前記第４三色ピクセル要素の、前記第２ピクセル行中の前記赤エミッタおよび前記第１ピクセル行中の前記緑エミッタへつながれている、第９列ラインと、
前記第９列ラインドライバへつながれた第１０列ラインであって、前記第１０列ラインが前記第４三色ピクセル要素の、前記第１ピクセル行中の前記赤エミッタおよび前記第２ピクセル行中の前記緑エミッタへつながれている、第１０列ラインと、
前記第１０列ラインドライバへつながれた第１２列ラインであって、前記第１２列ラインが前記第４三色ピクセル要素の、前記第２ピクセル行中の前記赤エミッタおよび前記第１ピクセル行中の前記緑エミッタへつながれている、第１２列ラインと、
を含むアレイ。
【請求項３４】
請求項３３に記載のアレイであって、前記アレイがドット・インバージョンによって駆動されるアレイ。
【請求項３５】
請求項３３に記載のアレイであって、前記赤エミッタ、前記緑エミッタ、および前記青エミッタの各々へつながれた前記行ラインの各々が選択トランジスタのゲートへつながれているアレイ。
【請求項３６】
請求項３３に記載のアレイであって、前記赤エミッタ、前記緑エミッタ、および前記青エミッタの各々へつながれた前記列ラインの各々が選択トランジスタのソース／ドレイン端子へつながれているアレイ。
【請求項３７】
請求項３３に記載のアレイであって、前記緑エミッタが前記第１ピクセル行中の前記左側単位面積多角形を占め、前記赤エミッタが前記第１ピクセル行中の前記右側単位面積多角形を占めており、前記赤エミッタが前記第２ピクセル行中の前記左側単位面積多角形を占め、前記緑エミッタが前記第２ピクセル行中の前記右側単位面積多角形を占めている、アレイ。
【請求項３８】
請求項３３に記載のアレイであって、前記単位面積多角形が正方形であるアレイ。
【請求項３９】
請求項３３に記載のアレイであって、前記単位面積多角形が長方形であるアレイ。
【請求項４０】
請求項１に記載のディスプレイ用アレイであって、
単一の青エミッタが前記第１および前記第２の両ピクセル行中の中央単位面積多角形を占めている、第１および第２ピクセル行を含み、
前記三色ピクセル要素の青エミッタの横方向の対は互いに１ピクセル行だけ縦方向にオフセットされており、
前記アレイ行位置の各々に付随する複数の行ラインを含み、
前記行ラインの第１のものは、前記アレイ行位置の各々にある前記三色ピクセル要素の各奇数対の前記第１ピクセル行中の前記赤エミッタおよび前記緑エミッタすべてにつながれ、且つ前記アレイ行位置の各々にある前記三色ピクセル要素の各偶数対の前記第２ピクセル行中の前記赤エミッタおよび前記緑エミッタすべてにつながれており、前記行ラインの前記第１のものは隣接する前記三色ピクセル要素の奇数番目ごとの対の前記青エミッタへつながれており、
前記行ラインの第２のものは、前記アレイ行位置の各々にある前記三色ピクセル要素の各奇数対の前記第２ピクセル行中の前記赤エミッタおよび前記緑エミッタすべてにつながれ、且つ前記アレイ行位置の各々にある前記三色ピクセル要素の各偶数対の前記第１ピクセル行中の前記赤エミッタおよび前記緑エミッタすべてにつながれており、前記行ラインの前記第１のものは隣接する前記三色ピクセル要素の偶数番目ごとの対の前記青エミッタへつながれており、
前記アレイ中の前記列位置の各々に付随する複数の列ラインを含み、
前記列ラインの第１、第４、第７、および第１０のものは、各前記三色ピクセル要素中の前記青エミッタの左側に配置された前記列位置にある前記赤エミッタおよび青エミッタへつながれており、
前記列ラインの第２、第５、第８、および第１１のものは、各前記三色ピクセル要素中の前記列位置にある前記青エミッタへつながれており、前記列ラインの第２のものは前記列ラインの前記第８のものへつながれており、前記列ラインの第５のものは前記列ラインの前記第１１のものへつながれており、
前記列ラインの第３、第６、第９、および第１２のものは、各前記三色ピクセル要素中の前記青エミッタの右側に配置された前記列位置にある前記赤エミッタおよび青エミッタへつながれているアレイ。
【請求項４１】
請求項４０に記載のアレイであって、前記三色ピクセル要素の各々が行方向において列方向よりも高い空間周波数を持つアレイ。
【請求項４２】
請求項４０に記載のアレイであって、前記三色ピクセル要素の各々が列方向において行方向よりも高い空間周波数を持つアレイ。
【請求項４３】
請求項４０に記載のアレイであって、前記赤エミッタ、前記緑エミッタ、および前記青エミッタの各々へつながれた前記行ラインの各々が選択トランジスタのゲートへつながれているアレイ。
【請求項４４】
請求項４０に記載のアレイであって、前記赤エミッタ、前記緑エミッタ、および前記青エミッタの各々へつながれた前記列ラインの各々が選択トランジスタのソース／ドレイン端子へつながれているアレイ。
【請求項４５】
請求項４０に記載のアレイであって、前記アレイがドット・インバージョンによって駆動されるアレイ。
【請求項４６】
請求項４０に記載のアレイであって、前記緑エミッタが前記第１ピクセル行中の前記左側単位面積多角形を占め、前記赤エミッタが前記第１ピクセル行中の前記右側単位面積多角形を占めており、前記赤エミッタが前記第２ピクセル行中の前記左側単位面積多角形を占め、前記緑エミッタが前記第２ピクセル行中の前記右側単位面積多角形を占めている、アレイ。
【請求項４７】
請求項４０に記載のアレイであって、前記単位面積多角形が正方形であるアレイ。
【請求項４８】
請求項４０に記載のアレイであって、前記単位面積多角形が長方形であるアレイ。
【請求項４９】
請求項１に記載のディスプレイ用アレイであって、
単一の青エミッタが前記第１および第２の両ピクセル行中の中央単位面積多角形を占めている、アレイ行およびアレイ列を含み、
三色ピクセル要素の青エミッタの隣接する横方向の対が互いに１ピクセル行だけ縦方向にオフセットされており、
前記三色ピクセル要素の各々へつながれた第１および第２行ラインドライバを含み、
前記第１行ラインドライバへつながれた第１行ラインであって、前記第１行ラインは前記アレイ行位置の各々にある前記三色ピクセル要素の各奇数対の前記第１ピクセル行中の前記赤エミッタおよび前記緑エミッタすべてにつながれ、且つ前記アレイ行位置の各々にある前記三色ピクセル要素の各偶数対の前記第２ピクセル行中の前記赤エミッタおよび前記緑エミッタすべてにつながれており、前記行ラインの前記第１のものは隣接する前記三色ピクセル要素の奇数番目ごとの対の前記青エミッタへつながれている、第１行ラインと、
前記第２行ラインドライバへつながれた第２行ラインであって、前記第２行ラインは前記アレイ行位置の各々にある前記三色ピクセル要素の各奇数対の前記第２ピクセル行中の前記赤エミッタおよび前記緑エミッタすべてにつながれ、且つ前記アレイ行位置の各々にある前記三色ピクセル要素の各偶数対の前記第１ピクセル行中の前記赤エミッタおよび前記緑エミッタすべてにつながれており、前記行ラインの前記第１のものは隣接する前記三色ピクセル要素の偶数番目ごとの対の前記青エミッタへつながれている、第２行ラインと、
前記三色ピクセル要素の各々へつながれた第１から第１０列ラインドライバと、
前記第１列ラインドライバへつながれた第１列ラインであって、前記第１列ラインが前記アレイ列の第１のものの中にあるすべての前記三色ピクセル要素の最も左側のエミッタすべてにつながれている、第１列ラインと、
前記第２列ラインドライバへつながれた第２列ラインであって、前記第２列ラインが前記アレイ列の第２のものの中にあるすべての前記三色ピクセル要素の中央エミッタすべてにつながれ、且つ前記アレイ列の第８のものの中にあるすべての前記三色ピクセル要素の中央エミッタすべてにつながれた第８列ラインへつながれている、第２列ラインと、
前記第３列ラインドライバへつながれた第３列ラインであって、前記第３列ラインが前記アレイ列の第３のものの中にあるすべての前記三色ピクセル要素の最も右側のエミッタすべてにつながれている、第３列ラインと、
前記第４列ラインドライバへつながれた第４列ラインであって、前記第４列ラインが前記アレイ列の第４のものの中にあるすべての前記三色ピクセル要素の最も左側のエミッタすべてにつながれている、第４列ラインと、
前記第５列ラインドライバへつながれた第５列ラインであって、前記第５列ラインが前記アレイ列の第５のものの中にあるすべての前記三色ピクセル要素の中央エミッタすべてにつながれ、且つ前記アレイ列の第１１のものの中にあるすべての前記三色ピクセル要素の中央エミッタすべてにつながれた第１１列ラインへつながれている、第５列ラインと、
前記第６列ラインドライバへつながれた第６列ラインであって、前記第６列ラインが前記アレイ列の第６のものの中にあるすべての前記三色ピクセル要素の最も右側のエミッタすべてにつながれている、第６列ラインと、
前記第７列ラインドライバへつながれた第７列ラインであって、前記第７列ラインが前記アレイ列の第７のものの中にあるすべての前記三色ピクセル要素の最も左側のエミッタすべてにつながれている、第７列ラインと、
前記第８列ラインドライバへつながれた第９列ラインであって、前記第９列ラインが前記アレイ列の第９のものの中にあるすべての前記三色ピクセル要素の最も右側のエミッタすべてにつながれている、第９列ラインと、
前記第９列ラインドライバへつながれた第１０列ラインであって、前記第１０列ラインが前記アレイ列の第１０のものの中にあるすべての前記三色ピクセル要素の最も左側のエミッタすべてにつながれている、第１０列ラインと、
前記第１０列ラインドライバへつながれた第１２列ラインであって、前記第１２列ラインが前記アレイ列の第１２のものの中にあるすべての前記三色ピクセル要素の最も右側のエミッタすべてにつながれている、第１２列ラインを含むアレイ。
【請求項５０】
請求項４９に記載のアレイであって、前記アレイがドット・インバージョンによって駆動されるアレイ。
【請求項５１】
請求項４９に記載のアレイであって、前記赤エミッタ、前記緑エミッタ、および前記青エミッタの各々へつながれた前記行ラインの各々が選択トランジスタのゲートへつながれているアレイ。
【請求項５２】
請求項４９に記載のアレイであって、前記赤エミッタ、前記緑エミッタ、および前記青エミッタの各々へつながれた前記列ラインの各々が選択トランジスタのソース／ドレイン端子へつながれているアレイ。
【請求項５３】
請求項４９に記載のアレイであって、前記緑エミッタが前記第１ピクセル行中の前記左側単位面積多角形を占め、前記赤エミッタが前記第１ピクセル行中の前記右側単位面積多角形を占めており、前記赤エミッタが前記第２ピクセル行中の前記左側単位面積多角形を占め、前記緑エミッタが前記第２ピクセル行中の前記右側単位面積多角形を占めている、アレイ。
【請求項５４】
請求項４９に記載のアレイであって、前記単位面積多角形が正方形であるアレイ。
【請求項５５】
請求項４９に記載のアレイであって、前記単位面積多角形が長方形であるアレイ。
【発明の詳細な説明】
【発明の詳細な説明】
【０００１】
（背景）
本出願はカラー・ピクセル配置に関するものであって、更に詳細には電子式画像装置およびディスプレイで使用するカラー・ピクセル配置に関する。
【０００２】
フルカラーの知覚は錐体と呼ばれる三色受容器神経細胞タイプによって目の中で行なわれる。この３つのタイプは光の異なる波長：長波長、中間、短波長に感度を持つ（それぞれ、“赤”、“緑”、“青”）。これら３つの相対的な密度は互いにかなり違っている。緑受容器に比べて赤受容器のほうが少し多い。赤や緑と比べると、青受容器は非常に少ない。色受容器のほかに、比較的波長に鈍感な桿体と呼ばれる受容器があって、モノクロの暗視野に寄与する。
【０００３】
人間の視覚系は目によって検出された情報をいくつかの異なる知覚チャンネル：明るさ、色、および運動のチャンネルで処理する。運動は画像システム設計者にとって、フリッカーの閾値に関してのみ重要である。明るさチャンネルはすべての利用可能な受容器、錐体、桿体から入力を受け取る。これは“色盲的”である。それはエッジのコントラストを強調するように情報を処理する。色チャンネルはエッジコントラストの強調を行なわない。明るさチャンネルはすべての受容器を使用し強調するので、明るさチャンネルの分解能は色チャンネルよりも数倍高い。明るさ知覚への青受容器の寄与は５％あるいは２０分の１以下である。従って、ＮＡＳＡのＡＭＥＳ研究センターにおける実験（ＳＩＤダイジェスト１９９３に掲載されたＲ．Ｍａｒｔｉｎ（マーチン）、Ｊ．Ｇｉｌｌｅ（ギル）、Ｊ．Ｌａｒｉｍｅｒ（ラリマー）による投影式ディスプレイにおける青ピクセル数減少の検出可能性（Ｄｅｔｅｃｔａｂｉｌｉｔｙ  ｏｆ  Ｒｅｄｕｃｅｄ  Ｂｌｕｅ  Ｐｉｘｅｌ  Ｃｏｕｎｔ  ｉｎ  Ｐｒｏｊｅｃｔｉｏｎ  Ｄｉｓｐｌａｙｓ））が示すように、青の分解能を１オクターブ下げることによって導入される誤差はほとんどの視聴者にとって検出されるとしてもわずかに気づく程度である。
【０００４】
色の知覚は、“同化”（ａｓｓｉｍｉｌａｔｉｏｎ）あるいはフォン・ベゾルド（ｖｏｎ  Ｂｅｚｏｌｄ）のカラー・ブレンド効果と呼ばれる過程によって影響される。これはディスプレイのいくつかの別々に分離したカラー・ピクセル（あるいはサブピクセルまたはエミッタ）を１つの混ざった色として知覚させるものである。このブレンド効果は視野の中の与えられた角度範囲に広がって発生する。青受容器は比較的まばらなので、このブレンドは青については、赤や緑よりも広い角度にわたって発生する。この角度範囲は青については約０．２５度であり、他方、赤や緑については約０．１２度である。１２インチの観察距離において、０．２５度はディスプレイ上で５０ミル（１，２７０ミクロン）に相当する。従って、もしも青ピクセルのピッチがこのブレンド・ピッチの半分（６２５ミクロン）よりも狭ければ、画質を犠牲にせずに色のブレンドが起こる。
【０００５】
フラット・パネル式ディスプレイおよび固体カメラ・チップ用のカラー用シングル・プレーン画像マトリックス技術の現状はＲＧＢ（赤−緑−青）カラー・トライアド（ｔｒｉａｄ）である。このシステムは３つの色を分離し、各色に対して等しい空間周波数重み付けを与えることによってフォン・ベゾルド効果を活用している。２つの製造業者が二枚あるいは三枚のパネルを使用して、それらの画像を重畳させる改良形のディスプレイ・デザインを発表した。投影式ディスプレイの１業者は、赤、緑、および青の３つのパネルを使用した。青パネルは、人間の視覚要求と表示された画像との整合性に従って、落とした分解能を利用している。別の業者であるオレゴン州のビバートン・プレナー・システム（Ｐｌａｎａｒ  Ｓｙｓｔｅｍｓ  ｏｆ  Ｂｅａｖｅｒｔｏｎ）は、開発モデルを構築するために、１つのパネルに赤および緑のピクセルを備え、もう１つのパネルに青のピクセルを備えた二重発光パネルを有する“多重行アドレッシング”技術を採用している。青パネルは縦軸のみで分解能を落としている。これにより、青い蛍光体は赤および緑のピクセルと比べて、より高速に励起されることになり、青蛍光体の輝度が低い問題を克服することができる。従来技術に関する問題点は人間の視覚と表示との間の整合した分解能バランスを同じように保つために、付加的な表示パネル／プレーンを、付加的なドライバ電子回路と一緒に用いることである。
【０００６】
シルバーブルック（Ｓｉｌｖｅｒｂｒｏｏｋ）に与えられた米国特許第６，００８，８６８号に開示されたような別の表示方法は二進数で制御されるエミッタを使用している。二進数で制御されるエミッタでは、各エミッタが不連続な明るさの値を有しており、従って面積対明るさの正確な関係をディスプレイが有することを要求する。この従来技術では、人間の視覚がより低い青色スペース間隔を有することに応じて、パネルに組み込む青の“ビット深さ”を減らしている。従来の表示方法はまた、１本の縦ストライプに１つの色を使用している。従来のストライプは横軸では変調伝達関数（ＭＴＦ）、高い空間周波数分解能を制限するの  で、単色のストライプは最適でない。
【０００７】
表示装置には液晶表示（ＬＣＤ）装置が含まれる。ＬＣＤ装置は、電卓、時計、カラーテレビ、およびコンピュータ・モニターを含む多彩な用途に使用されている。従来の液晶パネルは、典型的な場合、一対の透明ガラス製の基板を含み、それらが平行に配置されてそれらの間に狭いギャップを構成し、そこを液晶材料で埋めている。典型的には複数のピクセル電極が透明ガラス基板の一方の内側表面上にマトリックス状に取り付けられ、またピクセル電極に対応する複数の共通電極が２枚の透明ガラス基板のうちの他方の基板の内側表面上に配置されている。対向するピクセル電極と共通電極とによって１個の液晶セルが定義される。画像は、電極対へ供給される電圧に従って、セルの光透過を制御することによって表示される。
【０００８】
従来のアクティブ・マトリックスＬＣＤ装置では、１つの基板上に、複数の列ラインに直交するように複数の行ラインが形成される。行および列のラインによって定義される、対応する複数のピクセル領域上に複数のピクセル電極が取り付けられる。ピクセル領域のそれぞれの上に、対応する薄膜トランジスタ（ＴＦＴ）が形成され、その上に形成されるピクセル電極を駆動する。
【０００９】
同じ極性を持つ電圧で液晶セルを繰り返して駆動すると、液晶材料中をイオン性不純物が移動することによる電気化学変化をピクセル電極と共通電極との間に引き起こすことがある。この変化は表示感度および輝度を大幅に低下させ得る。従って、この現象を防止するために、一般に液晶に供給される電圧の極性を繰り返し反転させることが望ましい。液晶セルを駆動するこの方法は“インバージョン”として知られている。当業者にはいくつかのインバージョン方式が知られており、その中には“フレーム・インバージョン”、“コラム・インバージョン”、“ライン（あるいは行）・インバージョン”、あるいは“ドット・インバージョン”が含まれる。
【００１０】
従来のドット・インバージョン駆動法は、例えば、ピクセル要素を負電圧および正電圧で交互に駆動することによるなど、その極性を隣接するサブピクセル電極と異なるように列ライン電圧を供給することを含む。典型的には、与えられた１つのピクセル電極に供給される駆動電圧の極性は、電圧を供給するたびに反転させられる。供給電圧は各行で交番しながら行ごとにサブピクセルに記憶される。この結果、サブピクセルの二次元マトリックス上には極性が“チェッカー・ボード”のパターンに配置される。
【００１１】
上述の従来のドット・インバージョン駆動法は、液晶材料中のイオン・マイグレーションを防止し、また表示中に“フリッカー”が知覚されることを少なくするのに有用であるが。この“フリッカー”を回避するために、三色ピクセル要素の新規な配置およびそれに付随する駆動構造に対して“ドット・インバージョン”を適用するときには特別な注意が必要である。
【００１２】
（概要）
従来技術の欠点および不利な点は、簡易アドレッシング方式によるフルカラー画像装置用カラー・ピクセルの配置によって解決される。
【００１３】
ディスプレイ用のアレイおよび行および列ライン構造が開示される。アレイは複数の行および列位置と複数の三色ピクセル要素を含む。三色ピクセル要素の各々は１個の青エミッタ、一対の赤エミッタ、および一対の緑エミッタを含む。三色ピクセル要素にはいくつかのデザインが可能である。駆動マトリックスは個々のエミッタを駆動するための複数個の行および列ドライバを含む。行ドライバは各行の赤、緑、および青エミッタを駆動する。各列の赤および緑エミッタは単一の列ドライバによって駆動される。しかし、単一の列ドライバによって２つの列ライン青エミッタ、すなわち、１つおきに隣接する三色ピクセル要素の第１列ラインおよび第２列ラインを駆動できる。こうすることで、従来技術で使用されていた列ラインおよび付随するドライバ電子回路の数を本発明では減らすことができる。
【００１４】
三色ピクセル要素のアレイ用の駆動マトリックスについても開示される。アレイは本発明の三色ピクセル要素のそれぞれ複数行および複数列を含むが、駆動マトリックスは個々のエミッタを駆動するための複数の行および列ドライバを含む。行ドライバは各行の赤、緑、および青エミッタを駆動する。各列の赤および緑エミッタは単一の列ドライバによって駆動される。しかし、単一の列ドライバによって２つの列ライン青エミッタ、すなわち、１つおきに隣接する三色ピクセル要素の第１列ラインおよび第２列ラインを駆動できる。このようにここでも、列ラインおよび付随するドライバ電子回路の数を減らすことができる。
【００１５】
ディスプレイ中の三色ピクセル要素を駆動する方法が開示される。本方法は、いくつかの可能なデザインのうち任意のデザインを有する三色ピクセル要素１個を提供することを含む。青エミッタ、赤エミッタ、および緑エミッタが駆動され、三色ピクセル要素の１つの青エミッタは、二番目に近い隣接する三色ピクセル要素の青エミッタへつながれる。
【００１６】
（詳細な説明）
当業者は理解されるであろうが、本発明の以下の説明はほんの一例にしか過ぎず、決して限定的なものではない。本発明のその他の実施の形態がそのような当業者には容易に示唆されよう。
【００１７】
三色ピクセル要素の配置はピクセルのカラー・ブレンドに影響する。各々の三色ピクセル要素は少なくとも、１個の青エミッタ、１個の赤エミッタ、および１個の緑エミッタを含み、いくつかの異なるデザインに従ってそれらをグループ化できる。複数の行ドライバおよび列（あるいは列ライン）ドライバは個々のエミッタを駆動するように動作する。行ドライバは各行の赤、緑、および青エミッタを駆動する。各列の赤および緑エミッタは単一の列ドライバによって駆動される。しかし、１つおきに隣接する三色ピクセル要素の青エミッタの第１列ラインおよび第２列ラインの２本の列ラインを単一の列ドライバを用いて駆動することによって、列ドライバの数を減らすことができる。この配置はドット・インバージョン法によってディスプレイ装置、特に液晶ディスプレイ装置を駆動する場合に有利  である。
【００１８】
図１は三色ピクセル要素１０の配置の例示的な実施の形態を示す。三色ピクセル要素は１つの青エミッタ１２、２つの赤エミッタ１４、および２つの緑エミッタ１６を含む。三色ピクセル要素１０は正方形をしており、Ｘ、Ｙ座標系の原点に中心を持つ。青エミッタ１２はこの正方形の原点に中心を持ち、Ｘ、Ｙ座標系の第１、第２、第３、および第４象限に広がっている。一対の赤エミッタ１４は対向する象限（例えば、第２および第４象限）に配置され、また一対の緑エミッタ１６も対向する象限（例えば、第１および第３象限）に配置されて、青エミッタ１２によって占有されない象限部分を占めている。図１に示すように、青エミッタ１２は正方形であり、それの隅を座標系のＸおよびＹ軸と揃えているが、赤１４および緑１６のエミッタの対向する対は一般に正方形であるが、青エミッタ１２の側辺に平行な端部を形成するように切り詰めた、内側を向く隅を有する。
【００１９】
三色ピクセル要素２０の別の例示的な実施の形態が図２に示されている。この実施の形態でも、三色ピクセル要素２０は正方形をしており、Ｘ、Ｙ座標系の原点に中心を持ち、Ｘ、Ｙ座標系の第１、第２、第３、および第４象限へ広がっている。青エミッタ２２はこの正方形の原点に中心を持ち、正方形をしており、側辺が座標系のＸおよびＹ軸と平行に揃っている。一対の赤エミッタ２４は対向する象限（例えば、第２および第４象限）に配置され、また一対の緑エミッタ２６は対向する象限（例えば、第１および第３象限）に配置されて、青エミッタ２２によって占有されない象限部分を占めている。この実施の形態で、赤エミッタ２４および緑エミッタ２６の対向する対はＬ字形をしている。このＬ字形エミッタは青エミッタを取り囲んでおり、Ｌ字形エミッタの内側の隅は青エミッタの隅と揃っている。
【００２０】
好適な実施の形態に従えば、三色ピクセル要素は等しい赤、緑、および青エミッタ面積を有する。これは、個々の赤および緑エミッタの面積よりも大きい面積を有する青エミッタを三色ピクセル要素の中心に配置することによって実現されよう。当業者は理解されるであろうが、その他の実施の形態では、青エミッタの面積はその他の赤または緑エミッタと比べてより小型にされよう。青エミッタは、赤または緑エミッタのいずれかよりも輝度を高くできるか、あるいは赤および緑エミッタが可能なのと同程度の輝度を有することができる。例えば、青エミッタの駆動対明るさの利得は赤または緑エミッタのそれよりも大きいであろう。
【００２１】
上述の説明は好適な実施の形態の例示であり、当業者はその他の代替例を容易に思いつくであろう。例えば、エミッタは異なる形状、例えば円形であったり多角形であったりできる。それらはまた、明瞭な端部を有するのではなく、曖昧であってもよい。三色ピクセル要素は各軸において等しい空間周波数で配置される必要はない。本質的に存在しないようにエミッタ間の開口比を最小化するかあるいは特に強調するようにしてもよいし、また空間は黒または白を含む別の色にしてもよい。エミッタは既知の任意の技術あるいは未来の発明によってもよく、それらには液晶（ＬＣＤ）、プラズマ、薄膜電気発光、ディスクリートな発光ダイオード（ＬＥＤ）、ポリマー発光ダイオード、エレクトロ・クロミック、エレクトロ・メカニカル、白熱発光、あるいは電界放出励起蛍光体（ＦＥＤ）を利用したディスプレイが含まれる。
【００２２】
図３は図１の三色ピクセル要素のアレイ３０である。アレイ３０はパネルまたはチップ上で繰り返されて、所望のマトリックス分解能を持つ装置を完成する。三色ピクセル要素１０の繰り返しによって赤３２および緑３４のエミッタが交番する“チェッカー・ボード”が形成され、青エミッタ３６は装置に亘って赤３２および緑３４のエミッタの分解能の半分で均等に分散している。
【００２３】
三色ピクセル要素アレイの１つの特長はカラー・ディスプレイの分解能改善である。これは明るさチャンネルの高分解能知覚に大きく貢献するのは赤と緑のエミッタのみであることから生ずる。従って、青エミッタの数を減らし、いくつかを赤および緑エミッタで置換することによって、より人間の視覚に整合させることで分解能を改善する。
【００２４】
縦軸で赤および緑エミッタを半分に分割することで空間アドレッシング性を高めるのは、従来技術による伝統的な縦方向単一カラー・ストライプよりも進んだ方法である。赤および緑エミッタが交番する“チェッカー・ボード”は変調伝達関数（ＭＴＦ）、高空間周波数分解能を可能とし、横および縦の両軸で分解能を増大させる。
【００２５】
三色ピクセル要素アレイはまた、最新の商用ビデオカメラや電子式静止カメラに見られる固体式の画像キャプチャ装置にも使用されよう。画像キャプチャおよびディスプレイの両方で青エミッタ分解能を下げることの利点は、記憶された画像が、記録または処理で各色に対して同じ分解能を提供する必要はないということである。このことは、高品位テレビ（ＨＤＴＶ）録画、再生、放送、および表示を含むテレビ、ビデオゲーム、コンピュータなどの電子式画像およびディスプレイ・システムにおけるソフトウエアおよびハードウエアを含む電子式記憶  画像の符号化、圧縮、および展開における節約につながる。
【００２６】
図４は横方向に揃えられた２個の三色ピクセル要素の配置４０を示す。三色ピクセル要素は正方形をしており、各々がＸ、Ｙ座標系の各原点に中心を持つ。青エミッタ４２ａは第１三色ピクセル要素の正方形の原点に中心を持ち、そのＸ、Ｙ座標系の第１、第２、第３、および第４象限へ広がっている。青エミッタ４２ｂは第２三色ピクセル要素の正方形の原点に中心を持ち、そのＸ、Ｙ座標系の第１、第２、第３、および第４象限へ広がっている。赤エミッタ４４ａおよび４４ｂはそれぞれ、第１および第２のピクセル要素の第２象限に配置されている。緑エミッタ４６ａおよび４６ｂはそれぞれ、第１ピクセルおよび第２ピクセル要素の第３象限に配置されている。緑エミッタ４８ａおよび４８ｂはそれぞれ、第１ピクセルおよび第２ピクセル要素の第１象限に配置されている。赤エミッタ５０ａおよび５０ｂはそれぞれ、第１ピクセルおよび第２のピクセル要素の第４象限に配置されている。図４に示すように、各青エミッタ（例えば４２ａ）は正方形をしており、その隅は各座標系のＸおよびＹ軸と揃っている。赤エミッタの対向する対（例えば、４４ａおよび５０ａ）および緑エミッタの対向する対（例えば、４８ａおよび４６ａ）は一般に正方形であって、青エミッタ（例えば、４２ａ）の側辺に平行な端部を形成するように、切り詰めた、内側に向いた隅を有する。各三色ピクセル要素で、赤および緑エミッタは青エミッタによって占有されない象限部分を占める。
【００２７】
図５は三色ピクセル要素配置４０用の例示的な駆動マトリックス６０の図である。便宜上、液晶ディスプレイ・エミッタはキャパシタとして模式的に表されている。各液晶ディスプレイ・エミッタは、赤エミッタ４４ａに関して図５に示すように、選択トランジスタを介して行および列ラインへつながれる。液晶ディスプレイ・エミッタは選択トランジスタのゲートを介して行ラインへつながれる。列ラインは選択トランジスタの第１ソース／ドレイン端子および選択トランジスタの第２ソース／ドレイン端子へつながれ、それは液晶ディスプレイ・エミッタへつながれる。一定の電位が液晶ディスプレイ・エミッタへつながれる。本発明の液晶ディスプレイ・エミッタは、カメラ用チップやその他の適当な装置に見られるような電荷結合デバイス（ＣＣＤ）、あるいはアクティブ・マトリックス液晶ディスプレイ（ＡＭＬＣＤ）に見られる薄膜トランジスタ（ＴＦＴ）のようなアクティブな電子デバイスでよい。
【００２８】
図５に示す例示的な駆動マトリックス６０は２×５の駆動マトリックスを含み、ここでは４つの列ドライバが赤および緑エミッタを駆動し、単一の列ドライバが青エミッタを駆動するようになっている。第１列ドライバ６２は赤エミッタ４４ａおよび緑エミッタ４６ａを駆動する。青エミッタ４２ａおよび４２ｂは一緒につながれて、第２列ドライバ６４によって駆動される。第３列ドライバ６６は緑エミッタ４８ａおよび赤エミッタ５０ａを駆動し、他方、第４列ドライバ６８は赤エミッタ４４ｂおよび緑エミッタ４６ｂを駆動する。緑エミッタ４８ｂおよび赤エミッタ５０ｂは第５の列ドライバ７０によって駆動される。２つの行ドライバおよび１０個の列ドライバを備え、少なくとも４個の三色ピクセル要素を使用する別の実施の形態についてもここに更に提示する。
【００２９】
行ドライバは各行の赤、緑、および青エミッタを駆動する。行ドライバ７２は青エミッタ４２ｂのほかに、赤エミッタ４４ａおよび４４ｂ、緑エミッタ４８ａおよび４８ｂを駆動する。行ドライバ７４は緑エミッタ４６ａおよび４６ｂ、赤エミッタ５０ａおよび５０ｂ、および青エミッタ４２ａを駆動する。各エミッタは、従来技術のエミッタが１つのピクセル要素中のランダムな場所で不連続な明るさの値で駆動されるのと異なり、１つのピクセル要素中の特定の場所で連続的な明るさの値で駆動できる。
【００３０】
この駆動マトリックスは、与えられた画像を提供するために、トライアド配置用の従来技術の２×６駆動マトリックスよりも約１６％少ない列ドライバを使用する。青エミッタ１２が組み合わされるため、列ラインを少なくできる。この全体配置は９０度回転することができ、そうすれば組み合わされた青エミッタ１２が同じ行ドライバによって駆動されることになる。そのような従来技術で既知の幾何学的に同一の変形すべてが可能な実施の形態となる。更に、ドライバのタイプ、電圧、およびタイミングは各々のデバイス技術に関して従来既知のものと同じようにすることができる。
【００３１】
配置および駆動マトリックスの別の実施の形態が図６および７に示されている。図６は横に揃えられた４個の三色ピクセル要素の配置７６である。各三色ピクセル要素は正方形をしており、各々がＸ、Ｙ座標系の各原点に中心を持つ。この場合、青エミッタ８０ａ、８０ｂ、８０ｃ、および８０ｄは各三色ピクセル要素の正方形の原点に中心を持つ。青エミッタ８０ａ、８０ｂ、８０ｃ、および８０ｄは各Ｘ、Ｙ座標系の第１、第２、第３、および第４象限へ広がっている。赤エミッタ５２ａ、５２ｂ、５２ｃ、および５２ｄはそれぞれ、第１、第２、第３、および第４三色ピクセル要素の第２象限に配置される。緑エミッタ５４ａ、５４ｂ、５４ｃ、および５４ｄはそれぞれ、第１、第２、第３、および第４三色ピクセル要素の第３象限に配置される。緑エミッタ５６ａ、５６ｂ、５６ｃ、および５６ｄはそれぞれ、第１、第２、第３、および第４三色ピクセル要素の第１象限に配置される。赤エミッタ５８ａ、５８ｂ、５８ｃ、および５８ｄはそれぞれ、第１、第２、第３、および第４三色ピクセル要素の第４象限に配置される。図６に示すように、各青エミッタ（例えば、８０ａ）は正方形をしており、各座標系のＸおよびＹ軸と揃った隅を有する。赤エミッタの対向する対（例えば、５２ａおよび５８ａ）および緑エミッタの対向する対（例えば、５４ａおよび５６ａ）は一般に正方形をしており、青エミッタ（例えば、８０ａ）の側辺に平行な端部を形成するように切り詰めた、内側を向く隅を有する。各三色ピクセル要素で、赤および緑エミッタは青エミッタによって占有されない象限部分を占める。
【００３２】
図７は配置７６用の例示的な駆動マトリックス７８の図である。図７に示された例示的駆動マトリックス７８は２×１０の駆動マトリックスを含み、ここでは８つの列ドライバが８個の赤エミッタおよび８個の緑エミッタを駆動し、また２つの列ドライバが４個の青エミッタを駆動する。第１列ドライバ９４は赤エミッタ５２ａおよび緑エミッタ５４ａを駆動する。青エミッタ８０ａおよび８０ｃは一緒につながれて、第２列ドライバ９６によって駆動される。第３列ドライバ９８は緑エミッタ５６ａおよび赤エミッタ５８ａを駆動し、第４列ドライバ１００は赤エミッタ５２ｂおよび緑エミッタ５４ｂを駆動する。第５列ドライバ１０２は、８０ｄと結合された青エミッタ８０ｂを駆動する。緑エミッタ５６ｂおよび赤エミッタ５８ｂは第６列ドライバ１０４によって駆動され、他方、第７列ドライバ１０６は赤エミッタ５２ｃおよび緑エミッタ５４ｃを駆動する。第８列ドライバ１０８は緑エミッタ５６ｃおよび赤エミッタ５８ｃを駆動し、他方、第９列ドライバ１１０は赤エミッタ５２ｄおよび緑エミッタ５４ｄを駆動する。最後に、第１０列ドライバ１１２は緑エミッタ５６ｄおよび赤エミッタ５８ｄを駆動する。
【００３３】
行ドライバは各ピクセル行中の赤、緑、および青エミッタを駆動する。行ドライバ９０は青エミッタ８０ｃおよび８０ｄのほか、赤エミッタ５２ａ、５２ｂ、５２ｃ、および５２ｄと、緑エミッタ５６ａ、５６ｂ、５６ｃ、および５６ｄを駆動する。行ドライバ９２は緑エミッタ５４ａ、５４ｂ、５４ｃ、および５４ｄ、赤エミッタ５８ａ、５８ｂ、５８ｃ、および５８ｄ、そして青エミッタ８０ａおよび８０ｂを駆動する。各エミッタは、従来技術のエミッタが１つのピクセル要素中のランダムな場所で不連続な明るさの値で駆動されるのと異なり、１つのピクセル要素中の特定の場所で連続的な明るさの値で駆動できる。
【００３４】
この駆動マトリックスは、与えられた画像を提供するために、トライアド配置用の従来技術の２×１２駆動マトリックスよりも約１６．６％少ない列ドライバを使用する。青エミッタが組み合わされる（８０ａおよび８０ｃ；８０ｂおよび８０ｄ）ため、列ラインを少なくできる。ドライバのタイプ、電圧、およびタイミングは各々のデバイス技術に関して従来既知のものと同じようにすることができる。
【００３５】
三色ピクセル要素配置および駆動マトリックスの別の実施の形態が図８および９に示されている。図８は１つのアレイ行として横方向に揃えられた４個の三色ピクセル要素の配置１１４である。各三色ピクセル要素は、正方形あるいは長方形でよく、各行に単位面積の多角形３個を含む２つの行を含み、各単位面積多角形を１個のエミッタが占有する。第１、第２、第３、および第４三色ピクセル要素の第１ピクセル行の中央にはそれぞれ、青エミッタ１３０ａ、１３０ｂ、１３０ｃ、および１３０ｄが配置される。第１、第２、第３、および第４三色ピクセル要素の第２ピクセル行の中央にはそれぞれ、青エミッタ１３２ａ、１３２ｂ、１３２ｃ、および１３２ｄが配置される。赤エミッタ１２０ａ、１２０ｂ、１２０ｃ、および１２０ｄはそれぞれ、第１、第２、第３、および第４三色ピクセル要素の青エミッタ１３０ａ、１３０ｂ、１３０ｃ、および１３０ｄの左側の、第１ピクセル行に配置される。緑エミッタ１２２ａ、１２２ｂ、１２２ｃ、および１２２ｄはそれぞれ、第１、第２、第３、および第４三色ピクセル要素の青エミッタ１３２ａ、１３２ｂ、１３２ｃ、および１３２ｄの左側の、第２ピクセル行に配置される。緑エミッタ１２４ａ、１２４ｂ、１２４ｃ、および１２４ｄはそれぞれ、第１、第２、第３、および第４三色ピクセル要素の青エミッタ１３０ａ、１３０ｂ、１３０ｃ、および１３０ｄの右側の、第１ピクセル行に配置される。赤エミッタ１２６ａ、１２６ｂ、１２６ｃ、および１２６ｄはそれぞれ、第１、第２、第３、および第４三色ピクセル要素の青エミッタ１３２ａ、１３２ｂ、１３２ｃ、および１３２ｄの右側の、第２ピクセル行に配置される。
【００３６】
図９は三色ピクセル要素配置１１４用の例示的駆動マトリックス１１６の図である。図９に示された例示的駆動マトリックス１１６は２×１０の駆動マトリックスを含み、ここでは８つの列ドライバが８個の赤エミッタおよび８個の緑エミッタを駆動し、２つの列ドライバが４個の青エミッタを駆動する。第１列ドライバ１４０は赤エミッタ１２０ａおよび緑エミッタ１２２ａを駆動する。青エミッタ１３０ａ、１３２ａ、１３０ｃ、および１３２ｃは一緒につながれて、第２列ドライバ１４２によって駆動される。第３列ドライバ１４４は緑エミッタ１２４ａおよび赤エミッタ１２６ａを駆動し、他方、第４列ドライバ１４６は赤エミッタ１２０ｂおよび緑エミッタ１２２ｂを駆動する。第５列ドライバ１４８は１３０ｄおよび１３２ｄと、それらにつながれた青エミッタ１３０ｂおよび１３２ｂを駆動する。緑エミッタ１２４ｂおよび赤エミッタ１２６ｂは第６列ドライバ１５０によって駆動され、他方、第７列ドライバ１５２は赤エミッタ１２０ｃおよび緑エミッタ１２２ｃを駆動する。第８列ドライバ１５４は緑エミッタ１２４ｃおよび赤エミッタ１２６ｃを駆動し、他方、第９列ドライバ１５６は赤エミッタ１２０ｄおよび緑エミッタ１２２ｄを駆動する。最後に、第１０列ドライバ１５８は緑エミッタ１２４ｄおよび赤エミッタ１２６ｄを駆動する。
【００３７】
行ドライバは各ピクセル行の赤、緑、および青エミッタを駆動する。行ドライバ１６０は青エミッタ１３０ｃ、１３２ｃ、１３０ｄ、および１３２ｄのほかに、赤エミッタ１２０ａ、１２０ｂ、１２０ｃ、および１２０ｄと、緑エミッタ１２４ａ、１２４ｂ、１２４ｃ、および１２４ｄを駆動する。行ドライバ１６２は緑エミッタ１２２ａ、１２２ｂ、１２２ｃ、および１２２ｄ、赤エミッタ１２６ａ、１２６ｂ、１２６ｃ、および１２６ｄ、そして青エミッタ１３０ａ、１３２ａ、１３０ｂ、および１３２ｂを駆動する。各エミッタは、従来技術のエミッタが１つのピクセル要素中のランダムな場所で不連続な明るさの値で駆動されるのと異なり、１つのピクセル要素中の特定の場所で連続的な明るさの値で駆動できる。
【００３８】
この駆動マトリックスは、与えられた画像を提供するために、トライアド配置用の従来技術の２×１２駆動マトリックスよりも約１６．６％少ない列ドライバを使用する。青エミッタが組み合わされる（１３０ａ、１３２ａ、および１３０ｃ、１３２ｃ；１３０ｂ、１３２ｂ、および１３０ｄ、１３２ｄ）ため、列ラインを少なくできる。ドライバのタイプ、電圧、およびタイミングは各々のデバイス技術に関して従来既知のものと同じようにすることができる。
【００３９】
三色ピクセル要素配置および駆動マトリックスの別の実施の形態が図１０および１１に示されている。図１０は１つのアレイ行として横方向に揃えられた４個の三色ピクセル要素の配置１６４である。各三色ピクセル要素は、正方形あるいは長方形でよく、各行に３個の単位面積の多角形を含む２つの行を含み、各単位面積多角形を１個のエミッタが占有する。少なくとも１つの単位面積多角形は、他の単位面積多角形の少なくとも２倍であって、青エミッタ１６８ａ、１６８ｂ、１６８ｃ、および１６８ｄによって占有される。青エミッタ１６８ａ、１６８ｂ、１６８ｃ、および１６８ｄは単一のエミッタとして形成できるか、あるいは互いに配線でつながれた２つの別々の青エミッタとして形成で  きる。
【００４０】
図１０に示すように、青エミッタ１６８ａ、１６８ｂ、１６８ｃ、および１６８ｄはそれぞれ、第１、第２、第３、および第４三色ピクセル要素の赤エミッタと緑エミッタとの間に配置される。赤エミッタおよび緑エミッタは２つのピクセル行に配置される。赤エミッタ１７０ａ、１７０ｂ、１７０ｃ、および１７０ｄはそれぞれ、第１、第２、第３、および第４三色ピクセル要素の、青エミッタ１６８ａ、１６８ｂ、１６８ｃ、および１６８ｄの左側の、第１ピクセル行に配置される。緑エミッタ１７２ａ、１７２ｂ、１７２ｃ、および１７２ｄはそれぞれ、第１、第２、第３、および第４三色ピクセル要素の、青エミッタ１６８ａ、１６８ｂ、１６８ｃ、および１６８ｄの左側の、第２ピクセル行に配置される。緑エミッタ１７４ａ、１７４ｂ、１７４ｃ、および１７４ｄはそれぞれ、第１、第２、第３、および第４三色ピクセル要素の、青エミッタ１６８ａ、１６８ｂ、１６８ｃ、および１６８ｄの右側の、第１ピクセル行に配置される。赤エミッタ１７６ａ、１７６ｂ、１７６ｃ、および１７６ｄはそれぞれ、第１、第２、第３、および第４三色ピクセル要素の、青エミッタ１６８ａ、１６８ｂ、１６８ｃ、および１６８ｄの右側の、第２ピクセル行に配置される。
【００４１】
図１１は三色ピクセル要素配置１６４用の例示的駆動マトリックス１６６の図である。図１１に示された例示的駆動マトリックス７８は２×１０の駆動マトリックスを含み、ここでは８つの列ドライバが８個の赤エミッタおよび８個の緑エミッタを駆動し、２つの列ドライバが４個の青エミッタを駆動している。第１列ドライバ１７８は赤エミッタ１７０ａおよび緑エミッタ１７２ａを駆動する。青エミッタ１６８ａおよび１６８ｃは一緒につながれて、第２列ドライバ１８０によって駆動される。第３列ドライバ１８２は緑エミッタ１７４ａおよび赤エミッタ１７６ａを駆動し、他方、第４列ドライバ１８４は赤エミッタ１７０ｂおよび緑エミッタ１７２ｂを駆動する。第５列ドライバ１８６は１６８ｄと、それにつながれた青エミッタ１６８ｂを駆動する。緑エミッタ１７４ｂおよび赤エミッタ１７６ｂは第６列ドライバ１８８によって駆動され、他方、第７列ドライバ１９０は赤エミッタ１７０ｃおよび緑エミッタ１７２ｃを駆動する。第８列ドライバ１９２は緑エミッタ１７４ｃおよび赤エミッタ１７６ｃを駆動し、他方、第９列ドライバ１９４は赤エミッタ１７０ｄおよび緑エミッタ１７２ｄを駆動する。最後に、第１０列ドライバ１９６は緑エミッタ１７４ｄおよび赤エミッタ１７６ｄを駆動する。
【００４２】
行ドライバは各ピクセル行の赤、緑、および青エミッタを駆動する。行ドライバ１９８は青エミッタ１６８ｃ、１６８ｄのほかに、赤エミッタ１７０ａ、１７０ｂ、１７０ｃ、および１７０ｄと、緑エミッタ１７４ａ、１７４ｂ、１７４ｃ、および１７４ｄを駆動する。行ドライバ２００は緑エミッタ１７２ａ、１７２ｂ、１７２ｃ、および１７２ｄ、赤エミッタ１７６ａ、１７６ｂ、１７６ｃ、および１７６ｄ、そして青エミッタ１６８ａおよび１６８ｂを駆動する。各エミッタは、従来技術のエミッタが１つのピクセル要素中のランダムな場所で不連続な明るさの値で駆動されるのと異なり、１つのピクセル要素中の特定の場所で連続的な明るさの値で駆動できる。
【００４３】
この駆動マトリックスは、与えられた画像を提供するために、トライアド配置用の従来技術の２×１２の駆動マトリックスよりも約１６．６％少ない列ドライバを使用する。青エミッタが組み合わされる（１６８ａおよび１６８ｃ；１６８ｂおよび１６８ｄ）ため、列ラインを少なくできる。ドライバのタイプ、電圧、およびタイミングは各々のデバイス技術に関して従来既知のものと同じようにすることができる。
【００４４】
三色ピクセル要素配置および駆動マトリックスの別の実施の形態が図１２および１３に示されている。図１２は各アレイ行に４個ずつ横に並べた８個の三色ピクセル要素を含む配置２０１である。各三色ピクセル要素は、正方形あるいは長方形でよく、各行に３個の単位面積の多角形を含む２つの行を含み、各単位面積多角形を１個のエミッタが占有する。少なくとも１つの単位面積多角形は他の単位面積多角形の面積の少なくとも２倍であって、青エミッタ２１０ａ、２１０ｂ、２１０ｃ、２１０ｄ、２２０ａ、および２２０ｃによって占有される。青エミッタ２１０ａ、２１０ｂ、２１０ｃ、２１０ｄ、２２０ａ、および２２０ｃは単一のエミッタとして形成できるか、あるいは互いに配線でつながれた２つの別々の青エミッタとして形成できる。この配置２０１において、青エミッタ２１０ｂと２１０ｄはジグザグ配置になっており、図１２に示すように、より小型（赤および緑エミッタの寸法）の青エミッタが、より大型の青エミッタと縦方向で揃うようにアレイの端部に位置している。例えば、青エミッタ２２２ａ、２２４ａはジグザグ配置の青エミッタ２１０ｃの両側で縦にずらして配置されており、また青エミッタ２２２ｂ、２２４ｂはジグザグ配置の青エミッタ２１０ｄの両側で縦にずらして配置されている。
【００４５】
図１２に示すように、青エミッタ２１０ａ、２１０ｂ、２１０ｃ、２１０ｄ、２２０ａ、２２０ｃ、２２２ａ、２２２ｂ、２２４ａ、および２２４ｂは赤エミッタと緑エミッタとの間に配置されている。赤エミッタ２０２ａ、２０２ｂ、２０２ｃ、および２０２ｄは第１アレイ行の第１ピクセル行に、また緑エミッタ２０４ａ、２０４ｂ、２０４ｃ、および２０４ｄは第１アレイ行の第２ピクセル行に、それぞれ、第１、第２、第３、および第４三色ピクセル要素の青エミッタ２１０ａ、２１０ｂ、２１０ｃ＆２２２ａ、および２１０ｄ＆２２２ｂの左側の配置されている。緑エミッタ２０６ａ、２０６ｂ、２０６ｃ、および２０６ｄは第１アレイ行の第１ピクセル行に、また赤エミッタ２０８ａ、２０８ｂ、２０８ｃ、および２０８ｄは第１アレイ行の第２ピクセル行に、それぞれ、第１、第２、第３、および第４三色ピクセル要素の青エミッタ２１０ａ、２１０ｂ、２１０ｃ＆２２２ａ、および２１０ｄ＆２２２ｂの右側の配置されている。赤エミッタ２１２ａ、２１２ｂ、２１２ｃ、および２１２ｄは第２アレイ行の第１ピクセル行に、また緑エミッタ２１４ａ、２１４ｂ、２１４ｃ、および２１４ｄは第２アレイ行の第２ピクセル行に、それぞれ、第１、第２、第３、および第４三色ピクセル要素の青エミッタ２２０ａ、２２０ｂ、２２０ｃ＆２２４ａ、および２１０ｄ＆２２４ｂの左側の配置されている。緑エミッタ２１６ａ、２１６ｂ、２１６ｃ、および２１６ｄは第２アレイ行の第１ピクセル行に、また赤エミッタ２１８ａ、２１８ｂ、２１８ｃ、および２１８ｄは第２アレイ行の第２ピクセル行に、それぞれ、第１、第２、第３、および第４三色ピクセル要素の青エミッタ２２０ａ、２２０ｂ、２２０ｃ＆２２４ａ、および２１０ｄ＆２２４ｂの右側の配置されている。当業者は理解されるように、このアレイにおいて大型の青エミッタはジグザグ配置になっており、大型の青エミッタと縦方向で揃うように端部に小型の青エミッタを有することが必要になる。
【００４６】
図１３は図１２に示す三色ピクセル要素配置２０１用の例示的駆動マトリックス２５４の図である。図１３に示された例示的駆動マトリックス２５４は２×１０の駆動マトリックスを含み、ここでは８つの列ドライバが３２個の赤エミッタと８個の緑エミッタを駆動し、２つの列ドライバが１０個の青エミッタを駆動している。第１列ドライバ２３４は赤エミッタ２０２ａ、２１２ａおよび緑エミッタ２０４ａ、２１４ａを駆動する。青エミッタ２１０ａ、２２０ａは青エミッタ２２２ａ、２１０ｃ、２２４ａと一緒につながれて、第２列ドライバ２３６によって駆動される。第３列ドライバ２３８は緑エミッタ２０６ａ、２１６ａおよび赤エミッタ２０８ａ、２１８ａを駆動し、他方、第４列ドライバ２４０は赤エミッタ２０２ｂ、２１２ｂおよび緑エミッタ２０４ｂ、２１４ｂを駆動する。第５列ドライバ２４２は、２２２ｂ、２１０ｄ、２２４ｂと、それらと一緒につながれた青エミッタ２１０ｂ、２２０ｂとを駆動する。緑エミッタ２０６ｂ、２１６ｂおよび赤エミッタ２０８ｂ、２１８ｂは第６列ドライバ２４４によって駆動され、また第７列ドライバ２４６は赤エミッタ２０２ｃ、２１２ｃおよび緑エミッタ２０４ｃ、２１４ｃを駆動する。第８列ドライバ２４８は緑エミッタ２０６ｃ、２１６ｃおよび赤エミッタ２０８ｃ、２１８ｃを駆動し、他方、第９列ドライバ２５０は赤エミッタ２０２ｄ、２１２ｄおよび緑エミッタ２０４ｄ、２１４ｄを駆動する。最後に、第１０列ドライバ２５２は緑エミッタ２０６ｄ、２１６ｄおよび赤エミッタ２０８ｄ、２１８ｄを駆動する。
【００４７】
行ドライバは各ピクセル行の赤、緑、および青エミッタを駆動する。行ドライバ２２６は青エミッタ２１０ａ、２１０ｂ、２２２ａ、２２２ｂのほかに、赤エミッタ２０２ａ、２０２ｂ、２０２ｃ、および２０２ｄと、緑エミッタ２０６ａ、２０６ｂ、２０６ｃ、および２０６ｄを駆動する。行ドライバ２２８は緑エミッタ２０４ａ、２０４ｂ、２０４ｃ、および２０４ｄ、赤エミッタ２０８ａ、２０８ｂ、２０８ｃ、および２０８ｄ、そして青エミッタ２１０ｃ、２１０ｄを駆動する。行ドライバ２３０は青エミッタ２２０ａ、２２０ｂのほかに、赤エミッタ２１２ａ、２１２ｂ、２１２ｃ、および２１２ｄと、緑エミッタ２１６ａ、２１６ｂ、２１６ｃ、および２１６ｄを駆動する。行ドライバ２３２は緑エミッタ２１４ａ、２１４ｂ、２１４ｃ、および２１４ｄ、赤エミッタ２１８ａ、２１８ｂ、２１８ｃ、および２１８ｄ、そして青エミッタ２２４ａ、２２４ｂを駆動する。各エミッタは、従来技術のエミッタが１つのピクセル要素中のランダムな場所で不連続な明るさの値で駆動されるのと異なり、１つのピクセル要素中の特定の場所で連続的な明るさの値で駆動できる。
【００４８】
この駆動マトリックスは、与えられた画像を提供するために、トライアド配置用の従来技術の２×１２の駆動マトリックスよりも約１６．６％少ない列ドライバを使用する。青エミッタが組み合わされる（２１０ａ、２２０ａ、および２１０ｃ、２２２ａ、２２４ａ；２１０ｂ、２２０ｂ、および２１０ｄ、２２２ｂ、２２４ｂ）ため、列ラインを少なくできる。ドライバのタイプ、電圧、およびタイミングは各々のデバイス技術に関して従来既知のものと同じようにすることができる。
【００４９】
ドット・インバージョンは、上に述べたように、列および行の形に配置したパネルを駆動するための選択肢として好適な方法である。青、赤、および緑の各エミッタは交番的な極性で駆動される。例えば、第１の駆動事象では、赤エミッタが正の電圧で駆動され、次の事象では同じ赤エミッタが負の電圧で駆動される。図６、８、１０、および１２に示された配置を使用する場合、それは第１三色ピクセル要素の青エミッタの列ラインを、二番目に近い隣接する三色ピクセル要素（例えば、第３三色ピクセル要素の青エミッタ）と接続する。同様に、第２三色ピクセル要素の青エミッタは、二番目に近い隣接する三色ピクセル要素（例えば、第４三色ピクセル要素の青エミッタ）と接続される。“二番目に近い隣接する”三色ピクセル要素は、互いに組み合わされた一対の三色ピクセル要素のうち、１つおきの青エミッタとして構成することができる。例えば、第１三色ピクセル要素が第３三色ピクセル要素と接続され、第２三色ピクセル要素が第４三色ピクセル要素と接続され、第５三色ピクセル要素が第７三色ピクセル要素と接続され、第６三色ピクセル要素が第８三色ピクセル要素と接続される、等々である。この場合、“フリッカー”の発生は低減または解消される。
【００５０】
この配置を使用する場合、もしもクロストークが発生してもそれが各列について同じであることを保証するために、すべての列ラインはそれに隣接するラインと逆極性の信号で駆動されなければならない。もしもアレイがこのように駆動されなければ、非対称なクロストークがスクリーン上に目に見えるアーティファクトとなって現れよう。更に、“フリッカー”が発生しないことを確かなものとするために、別々のピクセル要素に属する隣接する赤および緑エミッタも互いに逆極性の信号で駆動されなければならない。例えば、図１４は、図６と同じ配置に対する赤、緑、および青エミッタの極性を示している。ここで、緑エミッタ５６ａ（負の値を有する）は赤エミッタ５２ｂ（正の値を有する）とは反対の極性を持たなければならない。この配置は、列ラインが１つの青エミッタを、二番目に近い隣接する三色ピクセル要素の青エミッタへ接続するため、“フリッカー”を解消する。青エミッタ上に示された極性は列ラインのそれであり、青エミッタに記憶されている極性ではない。青エミッタの極性はその青エミッタをアドレッシングしている活性行によって決められ、それは二番目に近い隣接する三色ピクセル要素の青エミッタとつながっている。
【００５１】
赤、緑、および青エミッタの極性による別のドット・インバージョンを示す別の例が図１５および１６に示されている。図１５および１６は両方とも、図８に示された配置１１４をベースとしており、付加的な横配置（図１５の１１５；図１６の３１４）を含んでいる。図１５で、赤エミッタ１２０ａ（正の値を有する）は緑エミッタ１２２ａ（負の値を有する）の極性とは反対の極性の信号によって駆動されなければならない。青エミッタ１３０ａ（負の値を有する）は青エミッタ１３２ａ（正の値を有する）の極性とは反対の極性の信号によって駆動されなければならない。赤エミッタ１２４ａ（正の値を有する）は緑エミッタ１２６ａ（負の値を有する）の極性とは反対の極性の信号によって駆動されなければならない。同じ極性が付加的な横配置１１５で複製される。この配置もまた、列ラインが１つの青エミッタを二番目に近い隣接する三色ピクセル要素の青エミッタと接続するため、“フリッカー”を解消する。
【００５２】
図１６には、横配置３１４を備えた別のドット・インバージョン方式が示されている。ここで、赤エミッタ１２０ａおよび１２６ａと、緑エミッタ１２２ａおよび１２４ａ（正の値を有する）は、赤エミッタ３０２ａおよび３０８ａと、緑エミッタ３０４ａおよび３０６ａ（負の値を有する）を駆動する信号の極性とは反対の極性の信号によって駆動されなければならない。同じことが青エミッタ１３０ａおよび１３２ａ（正の値を有する）と、青エミッタ３１０ａおよび３１２ａ（負の値を有する）とにも当てはまる。この配置もまた、列ラインが１つの青エミッタを二番目に近い隣接する三色ピクセル要素の青エミッタと接続するため、“フリッカー”を解消する。
【００５３】
赤、緑、および青エミッタの極性によるドット・インバージョンを示す別の例が図１７に示されており、これは図１０に示した配置１６４をベースにしており、別の横配置３６４を含んでいる。ここで、赤エミッタ１７０ａおよび緑エミッタ１７４ａ（正の値を有する）と、緑エミッタ１７２ａおよび赤エミッタ１７６ａ（負の値を有する）は、それぞれ赤エミッタ３７０ａおよび緑エミッタ３７４ａ（正の値を有する）と、緑エミッタ３７２ａおよび赤エミッタ３７６ａ（負の値を有する）と同じ極性の信号によって駆動されなければならない。青エミッタ１６８ａ（正の値を有する）は青エミッタ３６８ａ（負の値を有する）とは反対の極性の信号によって駆動されなければならない。この配置もまた、列ラインが１つの青エミッタを二番目に近い隣接する三色ピクセル要素の青エミッタと接続するため、“フリッカー”を解消する。
【００５４】
図１８には、横配置１６４、２６４を備える別のドット・インバージョン方式が示されている。ここで、赤エミッタ１７０ａおよび１７６ａと、緑エミッタ１７２ａおよび１７４ａ（正の値を有する）は、赤エミッタ３７０ａおよび３７６ａと、緑エミッタ３７２ａおよび３７４ａ（負の値を有する）を駆動する信号の極性とは反対の極性の信号によって駆動されなければならない。同じことが青エミッタ１６８ａ（負の値を有する）と、青エミッタ３６８ａ（正の値を有する）にも当てはまる。この配置もまた、列ラインが１つの青エミッタを二番目に近い隣接する三色ピクセル要素の青エミッタと接続するため、“フリッカー”を解消する。
【００５５】
赤、緑、および青エミッタの極性によるドット・インバージョンの別の例が図１９に示されており、これは図１２に示した配置２０１をベースにしている。ここで、赤エミッタ２０２ａおよび緑エミッタ２０６ａ（正の値を有する）と、緑エミッタ２０４ａおよび赤エミッタ２０８ａ（負の値を有する）とは、それぞれ赤エミッタ２１２ａおよび緑エミッタ２１６ａ（正の値を有する）と、緑エミッタ２１４ａおよび赤エミッタ２１８６ａ（負の値を有する）と同じ極性の信号によって駆動されなければならない。青エミッタ２１０ａ（正の値を有し、負の値を記憶する）は青エミッタ２２０ａ（負の値を有し、正の値を記憶する）とは反対の極性の信号によって駆動されなければならない。青エミッタ２１０ｃ（正の値を有し、負の値を記憶する）は青エミッタ２２０ｃ（負の値を有し、正の値を記憶する）とは反対の極性の信号によって駆動されなければならない。他方、青エミッタ２２２ａおよび２２４ｂは青エミッタ２２２ｂおよび２２４ａとは反対の極性の信号によって駆動されなければならない。当業者はここに説明した極性について理解されよう。この配置もまた、列ラインが１つの青エミッタを二番目に近い隣接する三色ピクセル要素の青エミッタと接続するため、“フリッカー”を解消する。
【００５６】
図２０には、横配置２０１を備える別のドット・インバージョン方式が示されている。ここで、赤エミッタ２０２ａ、２０８ａおよび緑エミッタ２０４ａ、２０６ａ（正の値を有する）は、赤エミッタ２１２ａ、２１８ａおよび緑エミッタ２１４ａ、２１６ａ（負の値を有する）とは反対の極性の信号によって駆動されなければならない。同じことが青エミッタ２１０ａ（負の値を有し、正の値を記憶する）および青エミッタ２２０ａ（正の値を有し、負の値を記憶する）にも当てはまる。青エミッタ２１０ｃ（負の値を有し、正の値を記憶する）は青エミッタ２２０ｃ（正の値を有し、負の値を記憶する）とは反対の極性の信号によって駆動されなければならない。他方、青エミッタ２２２ａおよび２２４ｂは青エミッタ２２２ｂおよび２２４ａとは反対の極性の信号によって駆動されなければならない。当業者はここに説明した極性について理解されよう。この配置もまた、列ラインが１つの青エミッタを二番目に近い隣接する三色ピクセル要素の青エミッタと接続するため、“フリッカー”を解消する。
【００５７】
上述の配置の任意のものに従う三色ピクセル要素は、個々のエミッタを適切に駆動することにより動作させることができる。各々の行および列ドライバを介して、個々の行ラインおよび列ラインへ電圧が供給される。この時点で、各エミッタが適正な電圧に従って点灯し、ディスプレイ上に画像を生成する。
【００５８】
１つの青エミッタの列ラインを二番目に近い隣接する三色ピクセル要素からの青エミッタの列ラインへつなぐことによって、“フリッカー”を実質的に解消することができ、同時に列ドライバの数を減らすことができる。
【００５９】
本発明は例示的な実施の形態について説明してきたが、本発明のスコープから外れることなく、これの要素に対して多様な変更を行い、また置換を行いうることを当業者は理解すべきである。更に、その本質的なスコープから外れることなく、教えるところに対して特別な状況や材料を適用するために多くの修正を施すことができる。従って、本発明は、本発明を実施するために考え得る最良のものとして開示された特別な実施の形態に限定されることなく、却って本発明は添付される特許請求の範囲のスコープに含まれるすべての実施の形態を包含するであろう。
【図面の簡単な説明】
【００６０】
ここで図面を参照するが、同様な要素には同じ番号をつけてある。
【図１】三色ピクセル要素の配置。
【図２】三色ピクセル要素の別の配置。
【図３】三色ピクセル要素のアレイ。
【図４】横に整列させた２個の三色ピクセル要素の配置。
【図５】図４のピクセル配置に対する例示的駆動マトリックスを示す図。
【図６】横に整列させた４個の三色ピクセル要素の配置。
【図７】図６のピクセル配置に対する例示的駆動マトリックスを示す図。
【図８】横に整列させた４個の三色ピクセル要素の別の配置。
【図９】図８のピクセル配置に対する例示的駆動マトリックスを示す図。
【図１０】横に整列させた４個の三色ピクセル要素の別の配置。
【図１１】図１０のピクセル配置に対する例示的駆動マトリックスを示す図。
【図１２】横に整列させた４個の三色ピクセル要素の別の配置。
【図１３】図１２のピクセル配置に対する例示的駆動マトリックスを示す図。
【図１４】図６のピクセル配置に対するドット・インバージョン方式を示す図。
【図１５】図８のピクセル配置に対するドット・インバージョン方式を示す別の図。
【図１６】図１５に対する別の図であって、図８のピクセル配置に対するドット・インバージョン方式を示す図。
【図１７】図１０のピクセル配置に対するドット・インバージョン方式を示す別の図。
【図１８】図１７に対する別の図であって、図１０のピクセル配置に対するドット・インバージョン方式を示す図。
【図１９】図１２のピクセル配置に対するドット・インバージョン方式を示す別の図。および
【図２０】図１９に対する別の図であって、図１０のピクセル配置に対するドット・インバージョン方式を示す図。
【図１】
2011209754.tif 000003
【図２】
2011209754.tif 000004
【図３】
2011209754.tif 000005
【図４】
2011209754.tif 000006
【図５】
2011209754.tif 000007
【図６】
2011209754.tif 000008
【図７】
2011209754.tif 000009
【図８】
2011209754.tif 000010
【図９】
2011209754.tif 000011
【図１０】
2011209754.tif 000012
【図１１】
2011209754.tif 000013
【図１２】
2011209754.tif 000014
【図１３】
2011209754.tif 000015
【図１４】
2011209754.tif 000016
【図１５】
2011209754.tif 000017
【図１６】
2011209754.tif 000018
【図１７】
2011209754.tif 000019
【図１８】
2011209754.tif 000020
【図１９】
2011209754.tif 000021
【図２０】
2011209754.tif 000022